(57)【要約】本発明は筋力測定器に関し、体をフレームに安全に結束した状態で重力が作用するようにフレームを傾斜して、体の特定部位の筋力を測定することができるようにした筋力測定器に関する。即ち、本発明は、体の上体及び下体の筋力を測定することができるように筋力測定器を構成するが、コントロール部（２）と；モーター（３）と電動手段（３ａ）で連結されて回転駆動されるように水平方向に軸設されたシャフト（４）と；上記シャフト（４）の端部に設置される角度調節フレーム（５）と；上記フレーム（５）は、モーター（３）によって前後に角度が調節されるメインフレーム（５ａ）と、上記メインフレーム（５ａ）で左右の回転が調節できるようにメインフレーム（５ａ）に設置されたモーター（６）とシャフト（７）に軸設されるサブフレーム（５ｂ）と、上記サブフレーム（５ｂ）には上下方向に設置される支持フレーム（５ｃ）と、上記支持フレーム（５ｃ）に足、尻部及び頭を選択的に結束させるために設置される足結束手段（８）、尻部結束手段（９）及び頭結束手段（１０）と、上記サブフレーム（５ｂ）の左右には、体の筋力を感知する感知手段（１１）が設置されることを特徴とする。【代表図】図１
2010540068.tif 000002
【特許請求の範囲】
【請求項１】
上記筋力測定器は、
コントロール部（２）と；
モーター（３）と電動手段（３ａ）で連結されて回転駆動されるように水平方向に軸設されたシャフト（４）と；
上記シャフト（４）の端部に設置される角度調節フレーム（５）と；
上記フレーム（５）は、モーター（３）によって前後に角度が調節されるメインフレーム（５ａ）と、上記メインフレーム（５ａ）で左右の回転が調節できるようにメインフレーム（５ａ）に設置されたモーター（６）とシャフト（７）に軸設されるサブフレーム（５ｂ）と、
上記サブフレーム（５ｂ）に上下方向に設置される支持フレーム（５ｃ）と、
上記支持フレーム（５ｃ）に足、尻部及び頭を選択的に結束させるために設置される足結束手段（８）、尻部結束手段（９）及び頭結束手段（１０）と、
上記サブフレーム（５ｂ）の左右には、体の筋力を感知する感知手段（１１）が設置されることを特徴とする筋力測定器。
【請求項２】
上記感知手段（１１）は、一つ以上の投受光フォトセンサー（１２、１３）からなり、
上記サブフレーム（５ｂ）上に形成されたガイド溝（１４ｂ）に沿って上下に高さが調節できるように、感知手段（１１）を構成するセンサーフレーム（１４）に案内部（１４ａ）が形成されることを特徴とする請求項１に記載の筋力測定器。
【請求項３】
上記感知手段（１１）は、サブフレーム（５ｂ）に前後方向に形成された支持台（１５）上に追加設置されることを特徴とする請求項１に記載の筋力測定器。
【請求項４】
上記サブフレーム（５ｂ）の後側に設置されるガイドフレーム（１６）と、
上記ガイドフレーム（１６）上で昇降が調節できるように設置されるセンサーフレーム（１４）を構成し、上記センサーフレーム（１４）の後側に、ガイドフレーム（１６）で案内されるように設置されるＬＭガイド（１７）と、
上記センサーフレーム（１４）に複数のフォトセンサー（１２、１３）が所定の間隔で設置されることを特徴とする請求項１に記載の筋力測定器。
【請求項５】
上記感知手段（１１）は、センサーフレーム（１４）に一つ以上設置される距離測定器（１２ａ、１３ａ）であることを特徴とする請求項１に記載の筋力測定器。
【請求項６】
上記尻部結束手段（９）及び頭結束手段（１０）は、使用者の体の規格によって、高さが調節できるように、支持フレーム（５ｃ）上に昇降調節が可能になるようにリング状に形成されるフレーム結束部（９ａ、１０ａ）からなることを特徴とする請求項１に記載の筋力測定器。
【請求項７】
上記筋力測定器は、
コントロール部（２）と；
モーター（３）と電動手段（３ａ）で連結されて回転駆動されるように水平方向に軸設されたシャフト（４）と；
上記シャフト（４）の端部に設置される角度調節フレーム（５）と；
上記フレーム（５）は、モーター（３）によって前後に角度が調節されるメインフレーム（５ａ）と、上記メインフレーム（５ａ）で左右の回転が調節できるようにメインフレーム（５ａ）に設置されたモーター（６）とシャフト（７）に軸設されるサブフレーム（５ｂ）と、上記サブフレーム（５ｂ）の後側に設置されるガイドフレーム（１６）と；
上記ガイドフレーム（１６）の後側に設置されたＬＭガイド（１７）に沿って、モーター（１８）の駆動によって昇降が調節できるようにした感知手段（１１）と；
上記ガイドフレーム（１６）の前側上部に設置されたＬＭガイド（１９）に沿って、モーター（２０）の駆動によって昇降が調節できるようにした支持フレーム（１６ａ）と；
上記ガイドフレーム（１６）の前側の下部に設置されたＬＭガイド（２１）に沿って、モーター（２２）の駆動によって昇降が調節できるようにした尻部結束手段（９）を備えたことを特徴とする筋力測定器。
【請求項８】
上記感知手段（１１）を構成するセンサーフレーム（１４）には、複数のフォトセンサー（１２、１３）が所定の間隔で設置されて、使用者の上体及び下体筋力を選択的に測定することができるようにしたことを特徴とする請求項７に記載の筋力測定器。
【請求項９】
上記感知手段（１１）を構成するセンサーフレーム（１４）には、一つ以上の距離測定器（１２ａ、１３ａ）が設置されて、使用者の上体及び下体の筋力を選択的に測定することができるようにしたことを特徴とする請求項７に記載の筋力測定器。
【請求項１０】
上記感知手段（１１）は、使用者の尻部に着脱可能な着脱手段（２３ａ）を有するベルト（２３）と；
上記ベルト（２３）と放射状にロープ（２４）で連結されたリング状の感知バー（２５）を備えたことを特徴とする請求項７に記載の筋力測定器。
【発明の詳細な説明】
【技術分野】
【０００１】
本発明は筋力測定器に関し、体を安全に結束した状態で重力が作用するように体を傾斜して、特定部位の筋力測定及び姿勢不良を校正することができる指針を設けて、正確な運動処方をすることができるようにした筋力測定器に関する。
【背景技術】
【０００２】
従来にも重力を利用して体の特定部位を運動させることができるようにした運動器具は案出されたことがあるが、体の特定部位の筋力を測定することができる手段はなかった。
【０００３】
即ち、従来の重力を利用した運動器具は、前後に角度の調節が可能なフレーム上に体の中の下体の足部位と尻部のみを結束して固定させた状態で、フレームを所定の傾斜角を有するように角度を調節させた後、腰を支える脊柱起立筋などを強化するようにした。
【０００４】
しかし、このような従来の運動器具は、体の上体部位の筋力を強化させることができる機能手段がなかったが、フレームを傾けた状態で腰の周りの筋力を強化運動する時に、傾いた状態で客観的な数値の筋力を測定することができなくて、正確な運動処方をすることが難しいという問題点を抱いていた。
【発明の概要】
【発明が解決しようとする課題】
【０００５】
従って、従来の発明における上記のような問題点を解決するために、本発明の目的は、重力を利用して筋力を測定することができる筋力測定器を提供するもので、特に、体の上半身及び下半身を安定的に結束した状態で、角度調節フレームを所定の傾斜角に角度を調節した後、使用者の筋力の低下の時、姿勢が崩れることを感知手段を用いて感知してコントロール部に伝送することによって、運動者の筋力測定及び姿勢不良などを校正するようにした筋力測定器を提供する。
【課題を解決するための手段】
【０００６】
本発明は、筋力測定器において、体の上下（即ち、足、尻部、頭部）を選択的に結束手段を用いて安定的に結束して、使用者の腕は角度調節フレーム上に形成された支持フレームを選択的に把持した状態で、特定部位の筋肉が有する筋力を測定することができるようにして、角度の調節されたフレームに結束状態で、所定時間が経過して崩れる姿勢で筋力を測定及び検査するようにして、正確な運動の処方をすることができるようにした筋力測定器を提供する。
【発明の効果】
【０００７】
本発明の筋力測定器は、体を角度調節フレームに安定的に結束した状態で、前後または左右に所定の傾斜角に傾斜させて、重力が体の特定筋肉に作用するようにして、該当部位の筋力測定及び姿勢不良を校正することができるように、データ確保及び運動指針を用意することができ、科学的な筋力運動方案を提示することができて、健康に大きく寄与することができる非常に有用な発明である。
【図面の簡単な説明】
【０００８】
【図１】本発明の好ましい一実施形態を示した筋力測定器の正面構成図。
【図２】本発明の好ましい一実施形態を示した筋力測定器の側面作用状態図。
【図３】本発明の好ましい一実施形態を示した筋力測定器の側面作用状態図。
【図４】本発明の好ましい一実施形態を示した筋力測定器において感知手段を設置した状態の正面構成図及び要部拡大平面図。
【図５】本発明の好ましい一実施形態を示した筋力測定器において感知手段を設置した状態の側面作用状態図。
【図６】本発明の好ましい筋力測定器の他の実施形態を示した正面構成図及び要部抜粋斜視図。
【図７】本発明の好ましい筋力測定器の他の実施形態を示した側面作用状態図。
【図８】本発明の好ましい筋力測定器の他の実施形態を示したもので、感知手段とガイドフレームの設置状態を示した平面図。
【図９】本発明の好ましい筋力測定器の他の実施形態を示した正面作用状態図。
【図１０】本発明の好ましい筋力測定器の他の実施形態において感知手段の他の実施形態を示した正面構成図及び抜粋平面図。
【図１１】本発明の好ましい筋力測定器の他の実施形態において感知手段の他の実施形態を示した正面構成図及び抜粋平面図。
【発明を実施するための形態】
【０００９】
本発明の筋力測定器は、図１乃至図５に示しているように構成されることができる。即ち、本発明は、ベースフレーム１の一側または別途にコントロール部２が設置され、上記コントロール部２に内設されたモーター３と電動手段３ａで連結されて回転駆動するように、水平方向に軸設されたシャフト４の端部に角度調節フレーム５が設置されて、モーター３の正逆駆動によって、角度調節フレーム５が図１から見る時、前後に角度が調節できるようにする。
【００１０】
上記フレーム５は略円弧形などに形成されて、モーター３によって前後に角度が調節されるメインフレーム５ａと、上記メインフレーム５ａで左右の回転が調節できるようにメインフレーム５ａに設置されたモーター６とシャフト７に軸設されるサブフレーム５ｂとで構成される。
【００１１】
また、上記サブフレーム５ｂには、上下方向に支持フレーム５ｃが設置されて、使用者が直立状態で体の特定部位を安定的に結束することができるように、足結束手段８、尻部結束手段９及び頭結束手段１０をそれぞれ設置する。
【００１２】
上記足結束手段８、尻部結束手段９は一般的に運動器具で広く使われている結束手段の中の一つを選択して使用するので、この詳細な構成に対する説明は省略する。
また、上記尻部結束手段９及び頭結束手段１０は、使用者の体の規格によって高さが調節できるように、支持フレーム５ｃの上に昇降調節ができるようにフレーム結束部９ａ、１０ａをリング状に構成することが好ましい。
【００１３】
上記支持フレーム５ｃの上部は、上体部位の中の手を利用して支持フレーム５ｃを選択的に把持することができるようにするし、背や胸部位も支持することができるようにして、使用者が安定感を持って筋力を測定することができるように構成する。
【００１４】
上記サブフレーム５ｂの左右には、体の筋力が低下されて、運動者の体が前後方向の定位置から離脱する時、これを感知するための感知手段１１が設置される。
上記感知手段１１は一つ以上の投受光フォトセンサー１２、１３が好ましく、使用者の体によって感知位置が異なるので、サブフレーム５ｂの上で感知手段１１が上下に調節できるように、センサーフレーム１４に案内部１４ａを形成して、サブフレーム５ｂの上のガイド溝１４ｂに沿って上下に高さが調節できるようにする。もちろん、感知手段１１の高さが調節された後、これを固定することができる方法としては、案内部１４ａとガイド溝１４ｂを外力によって緊密にスライドできるようにして、外力を除去した時、調節された位置を保持することができるようにしたり、別途の調節ボルト（図示省略）を使用して、位置調節された状態を固定するようにするなど、多様な調節固定手段が適用されることができる。
【００１５】
また、上記感知手段１１は、筋力を測定する使用者の体を前面から見る時、左右に定位置から左右方向に離脱する時にもこれを感知するように、図４及び図５のように、サブフレーム５ｂに前後方向に支持台１５を円弧形などに設置して、前記のような感知手段１１を設置することもできる。
【００１６】
図６乃至図８は上記感知手段１１を上体の筋力を測定する時に選択的に使用することができるようにした他の実施形態を示したものであり、図９、１０は上記感知手段１１を使用して、下体筋力を測定する時に、感知手段１１の使用状態の例示図などを示したものであり、これをより具体的に説明すれば下記の通りである。
【００１７】
即ち、上記感知手段１１はサブフレーム５ｂの後側に略横断面がＨ型などに構成される別途のガイドフレーム１６を固設し、上記ガイドフレーム１６の後側に設置されたＬＭガイド１７に沿って、モーター１８の駆動によって昇降が調節できるように、リング状に形成されたセンサーフレーム１４を設置する。
【００１８】
また、上記センサーフレーム１４には、複数のフォトセンサー１２、１３を所定の間隔に設置して、使用者の上体及び下体筋力をそれぞれ測定することができるようにした。
【００１９】
上記フォトセンサー１２、１３は、図１０に示したように、レーザーまたは赤外線などを利用する距離測定器１２ａ、１３ａを一つ以上設置して使用することもできる。
【００２０】
上記ガイドフレーム１６の前側上部には使用者が手で把持して上体を支持することができる支持フレーム１６ａが、ＬＭガイド１９に沿って、モーター２０の駆動によって昇降が調節されることができる。
【００２１】
また、ガイドフレーム１６の前側下部には、尻部を結束することができる尻部結束手段９をＬＭガイド２１に沿って、モーター２２の駆動によって、昇降が調節できるようにして、使用者の身長によって互換性を有するようにする。
【００２２】
図１１は、本発明の他の実施形態を示したものであり、これは使用者の尻部にマジックテープ（登録商標）（ｍａｇｉｃ  ｔａｐｅ）のような着脱手段２３ａを有するベルト２３を用いて感知手段１１を設置して使用するようにしたもので、上記ベルト２３と放射状にロープ２４で連結されたリング状の感知バー２５を備えて体の筋力を測定する。
【００２３】
図面で、符号２６はモニターを示している。
このような本発明の筋力測定器は、使用者の体の特定部位の筋力測定及び姿勢不良などを感知して、使用者の筋力に適合する運動指針などを用意して、科学的な運動処方及び治療処方ができるようにし、この使用方法などを以下により詳しく説明する。
【００２４】
まず、使用者の筋力を測定しようとする使用者が、図１乃至図５のような場合には、支持フレーム５ｃに設置された足結束手段８、腕を選択的に支持することができる支持フレーム１６ａ、尻部結束手段９及び頭結束手段１０を選択的に使用して体を安全に結束する。
【００２５】
また、コントロール部２で筋力を測定するために、モーター３、６を選択的に駆動すれば、シャフト４、７が選択的に駆動して、メインフレーム５ａが前後に所定角度に角度が調節されたり、またはサブフレーム５ｂが左右に所定角度に角度が調節されるようになって、それによって、使用者の体は、前後または左右の中の何れか一側に傾斜するが、特定の傾斜角で体の各筋肉の筋力が消尽されると、最初に傾いた姿勢で体の特定部位の姿勢が崩れるようになり、これを多様な感知手段１１が感知して、コントロール部２に伝送し、伝送された資料を土台にして、該当部位の筋肉の筋力を測定してデータベース化させることができ、こういう測定された筋力測定資料を土台にして運動処方及び筋肉の異常時には治療処方などを正確に行うことができる。
【００２６】
また、図６乃至図８のような場合には、感知手段１１を構成するセンサーフレーム１４がサブフレーム５ｂの後側に設置されたガイドフレーム１６の上に設置されたＬＭガイド１７に沿ってモーター１８の駆動によって、昇降が調節できるので、使用者の身長差などのような多様な体の条件によって、感知手段１１の位置を上下に調節して、フォトセンサー１２、１３または距離測定器１２ａ、１３ａのような多様な感知手段１１によって簡単に筋力を測定することができ、
上記ガイドフレーム１６の前側上部に設置された支持フレーム１６ａも使用者の身長などの体の条件によって、モーター２０の駆動によって、支持フレーム１６ａが  ＬＭガイド１９に沿って上下に高さが調節でき、手で支持フレーム１６ａを把持した状態で、安定的に筋力を測定することができる。
【００２７】
また、ガイドフレーム１６の前側下部に設置された尻部結束手段９もモーター２２の駆動によって、ＬＭガイド２１に沿って高さを調節するので、使用者の身長などによって互換性持って、筋力を測定することができる。
【００２８】
図１１のような場合には、使用者の尻部に、着脱手段２３ａを有するベルト２３を使用して感知手段１１を設置した後、上記ベルト２３と放射状にロープ２４で連結されたリング状の感知バー２５を備えて体の筋力を測定することができる。
（産業上の利用の可能性）
【００２９】
本発明の筋力測定器は、医療機器、運動機構及び運動測定機構などを製造する関連産業に広く普及、活用が可能である。
【符号の説明】
【００３０】
１：ベースフレーム
２：コントロール部
３：モーター
３ａ：電動手段
４：シャフト
５：（角度調節）フレーム
５ａ：メインフレーム
５ｂ：サブフレーム
５ｃ：支持フレーム
６：モーター
７：シャフト
８：足結束手段
９：尻部結束手段
１０：頭結束手段
９ａ、１０ａ：フレーム結束部
１１：感知手段
１２、１３：（投受光）フォトセンサー
１２ａ、１３ａ：距離測定器
１４：センサーフレーム
１４ａ：案内部
１４ｂ：ガイド溝
１５：支持台
１６：ガイドフレーム
１６ａ：支持フレーム
１７：ＬＭガイド
１８：モーター
１９：ＬＭガイド
２０：モーター
２１：ＬＭガイド
２２：モーター
２３：ベルト
２３ａ：着脱手段
２４：ロープ
２５：感知バー
【図１】
2010540068.tif 000003
【図２】
2010540068.tif 000004
【図３】
2010540068.tif 000005
【図４】
2010540068.tif 000006
【図５】
2010540068.tif 000007
【図６】
2010540068.tif 000008
【図７】
2010540068.tif 000009
【図８】
2010540068.tif 000010
【図９】
2010540068.tif 000011
【図１０】
2010540068.tif 000012
【図１１】
2010540068.tif 000013
【国際調査報告】
2010540068.tif 000014
2010540068.tif 000015